(57)【要約】【課題】着脱式の間仕切り壁において、壁スイッチや壁コンセントの取り付け取り外しにかかる作業負担を軽減する。【解決手段】壁コンセントＥ２等は、間仕切り壁本体２にて木口面２ａから両表面２ｂ，２ｃにかけて形成された切欠き凹部２１に配置され、該壁コンセントＥ２等に接続されるコード５は、前記間仕切り壁本体２の前記木口面２ａに沿う位置に収容されるようにしている。したがって、前記コード５は前記間仕切り壁本体２の内部ではなく外部に配置されることとなるので、作業者は楽な姿勢で該コード５を前記壁コンセントＥ２等に接続したり該壁コンセントＥ２等から取り外したりすることができる。そのため、作業者の作業負担が軽減され、作業効率を良くすることができる。【選択図】図１
2018150709.tif 000002
【特許請求の範囲】
【請求項１】
天井及び／又は床に着脱可能な状態で支持されてなる着脱式間仕切り壁において、
両表面に形成されてなる切欠き凹部であって壁スイッチ又は壁コンセントを収納できるように構成された切欠き凹部を有する間仕切り壁本体と、
該切欠き凹部を閉塞するように前記間仕切り壁本体の一方の表面及び他方の表面に沿うように形成されてなると共に、前記壁スイッチ又は前記壁コンセントの一部を露出させるための開口部を有する切欠き凹部用カバー部材と、
を備え、
前記間仕切り壁本体の前記木口面に沿う位置には、前記壁スイッチ又は前記壁コンセントに接続されるコードを収容するコード収容空間が形成されてなる、
ことを特徴とする着脱式間仕切り壁。
【請求項２】
前記切欠き凹部用カバー部材は、前記壁スイッチ又は前記壁コンセントを支持する電気機器支持部を有する、
ことを特徴とする請求項１に記載の着脱式間仕切り壁。
【請求項３】
前記コード収容空間は、前記コードを埋設するために前記縦方向に沿うように前記木口面に形成された溝部と、該溝部を覆うように前記木口面に沿って配置された溝部用カバー部材と、により区画されてなる、
ことを特徴とする請求項１又は２に記載の着脱式間仕切り壁。
【請求項４】
前記切欠き凹部用カバー部材と前記間仕切り壁本体の表面とは、着脱可能な接着剤により接着されてなる、
ことを特徴とする請求項１乃至３のいずれか１項に記載の着脱式間仕切り壁。
【発明の詳細な説明】
【技術分野】
【０００１】
本発明は、天井及び／又は床に着脱可能な状態で支持されてなる着脱式間仕切り壁に関する。
【背景技術】
【０００２】
従来、オリンピックなどのイベントが開催される際には、選手や関係者が宿泊するための宿泊施設が新たに建設され、イベント終了後には一般住宅として分譲又は賃貸される場合がある。しかしながら、宿泊施設として必要な間取りと一般住宅として必要な間取りとは異なることから、宿泊施設の間仕切り壁には着脱可能に構成されたもの（例えば、特許文献１参照）が使用され、イベント終了後には該間仕切り壁を取り外して間取りを変更できるようになっている。
【０００３】
また、被災地における仮設住宅においては、多数の住宅を短時間で建築したり撤去したりしなければならないことから、着脱式の間仕切り壁が使用される場合がある。
【０００４】
そして、そのような間仕切り壁に壁コンセントや壁スイッチ（照明装置や換気扇やエアコンディショナーなどの電気機器をオン／オフするためのスイッチボックス）を取り付けたいというニーズもある。
【０００５】
図４は、間仕切り壁への壁コンセントの取り付け構造の一例を示す分解斜視図であり、図中の符号１０２は、間仕切り壁を示し、符号１０２ａは、該間仕切り壁１０２に形成された開口部（器具取付穴）を示し、符号１０５は、該間仕切り壁１０２の中に配線されたコードを示し、符号Ｅ１２は、該開口部１０２ａに取り付けられる壁コンセントを示している。
【先行技術文献】
【特許文献】
【０００６】
【特許文献１】特開平９−１３５５５号公報
【発明の概要】
【発明が解決しようとする課題】
【０００７】
ところで、オリンピック用の宿泊施設は数千戸程度を建設する必要があり、被災地の仮設住宅は（災害の規模にもよるが）数万戸程度建設する必要があり、それらの住戸を、イベントが開催されるまでの短期間、或いは被災者の命や生活を守るために１日でも早く建設する必要があるので、壁コンセントや壁スイッチの取り付け作業は少しでも楽にして、効率的に作業を行うことが望まれる。また、該イベント用の宿泊施設の場合は、イベント終了後に１日でも早く一般住宅用にリフォームする必要があり、仮設住宅の場合は速やかに解体する必要があるので、壁コンセントや壁スイッチを取り外す作業も効率良く行う必要がある。
【０００８】
しかしながら、図４に例示した構造のものでは、
・  前記壁コンセントＥ１２にコード１０５を接続した後、該壁コンセントＥ１２を前記開口部１０２ａに取り付ける作業や、
・  該壁コンセントＥ１２を前記開口部１０２ａから取り外し、該壁コンセントＥ１２からコード１０５を取り外す作業
などは、作業者が前記開口部１０２ａに顔を近づけて行わなければならないことから、該開口部１０２ａが形成された位置によっては無理な姿勢での作業となり、作業者に負担が掛かって作業効率も悪くなってしまうという問題があった。このような問題は壁スイッチについても起こり得る問題であった。
【０００９】
本発明は、上述の問題を解消することのできる着脱式間仕切り壁を提供することを目的とするものである。
【課題を解決するための手段】
【００１０】
本発明の第１の観点は、図１乃至図３に例示するものであって、天井（不図示）及び／又は床（不図示）に着脱可能な状態で支持されてなる着脱式間仕切り壁（１）において、
両表面（２ｂ，２ｃ）に形成されてなる切欠き凹部（２１）であって壁スイッチ（Ｅ１）又は壁コンセント（Ｅ２）を収納できるように構成された切欠き凹部（２１）を有する間仕切り壁本体（２）と、
該切欠き凹部（２１）を閉塞するように前記間仕切り壁本体（２）の一方の表面（２ｂ）及び他方の表面（２ｃ）に沿うように形成されてなると共に、前記壁スイッチ（Ｅ１）又は前記壁コンセント（Ｅ２）の一部を露出させるための開口部（４ａ）を有する切欠き凹部用カバー部材（４）と、を備え、
前記間仕切り壁本体（２）の前記木口面（２ａ）に沿う位置には、前記壁スイッチ（Ｅ１）又は前記壁コンセント（Ｅ２）に接続されるコード（５）を収容するコード収容空間（Ｄ）が形成されてなることを特徴とする。
【００１１】
本発明の第２の観点は、前記切欠き凹部用カバー部材（４）が、前記壁スイッチ（Ｅ１）又は前記壁コンセント（Ｅ２）を支持する電気機器支持部（不図示）を有することを特徴とする。
【００１２】
本発明の第３の観点は、前記コード収容空間（Ｄ）が、前記コード（５）を埋設するために前記縦方向（ｚ）に沿うように前記木口面（２ａ）に形成された溝部（２２）と、該溝部（２２）を覆うように前記木口面（２ａ）に沿って配置された溝部用カバー部材（６）と、により区画されてなることを特徴とする。
【００１３】
本発明の第４の観点は、前記切欠き凹部用カバー部材（４）と前記間仕切り壁本体（２）の表面（２ｂ，２ｃ）とは、着脱可能な接着剤（不図示）により接着されてなることを特徴とする。
【００１４】
なお、括弧内の番号などは、図面における対応する要素を示す便宜的なものであり、従って、本記述は図面上の記載に限定拘束されるものではない。
【発明の効果】
【００１５】
上記した第１の観点によれば、前記壁スイッチ又は前記壁コンセントに接続されるコードは前記間仕切り壁本体の内部ではなく外部（つまり、前記木口面に沿った前記コード収容空間）に配置されているので、作業者は楽な姿勢で該コードを前記壁スイッチや前記壁コンセントに接続したり該壁スイッチや該壁コンセントから取り外したりすることができる。そのため、作業者の作業負担が軽減され、作業効率を良くすることができる。
【００１６】
上記した第２の観点によれば、前記間仕切り壁本体に取り付けない状態の該切欠き凹部用カバー部材に該壁スイッチや該壁コンセントを支持させたり該切欠き凹部用カバー部材から該壁スイッチや該壁コンセントを取り外したりすることができる。それらの作業を作業者は楽な姿勢で行うことができるので、作業者の作業負担が軽減され、作業効率を良くすることができる。
【００１７】
上記した第３の観点によれば、前記溝部が前記コードのガイドとなって該コードを容易に敷設することができる。また、該コードは該溝部によって保護することができ、該コードの損傷を回避することができる。さらに、（該コードは該溝部によって保護することができるので）前記溝部用カバー部材に堅固な材料を用いる必要がなく、その分、該溝部用カバー部材の部品コストを低減することができる。
【００１８】
上記した第４の観点によれば、前記切欠き凹部用カバー部材を前記間仕切り壁本体から容易に取り外すことができ、前記壁スイッチや前記壁コンセントの前記間仕切り壁本体からの取り外し作業を簡素化することができる。また、該切欠き凹部用カバー部材を該間仕切り壁本体に堅固に接着した場合には、該切欠き凹部用カバー部材を該間仕切り壁本体から取り外す際に該間仕切り壁本体が壊れてしまうおそれがあるが、着脱可能な接着剤を使用した場合にはそのような問題もなく、該間仕切り壁本体をそのまま再利用することができる。
【図面の簡単な説明】
【００１９】
【図１】図１は、本発明に係る着脱式間仕切り壁の構成の一例を示す分解斜視図である。
【図２】図２は、本発明に係る着脱式間仕切り壁の構成の一例を示す正面図である。
【図３】図３は、本発明に係る着脱式間仕切り壁の構成の一例を示す水平断面図である。
【図４】図４は、間仕切り壁への壁コンセントの取り付け構造の一例を示す分解斜視図である。
【発明を実施するための形態】
【００２０】
以下、図１乃至図３に沿って、本発明の実施の形態について説明する。
【００２１】
本発明に係る着脱式間仕切り壁は、図１に符号１で例示するものであって、天井（不図示）及び／又は床（同じく不図示）に着脱可能な状態で支持されるように構成されている。該着脱式間仕切り壁１の支持構造としては、特に限定するものでは無く、
・  天井や床に設置されたレール部材に嵌め込むような構造や、
・  ボルトやナットを使用した構造
などの公知の構造を挙げることができる。
【００２２】
そして、該着脱式間仕切り壁１は略矩形状をした間仕切り壁本体２を備えている。該間仕切り壁本体２には、その両表面２ｂ，２ｃに切欠き凹部（孔部）２１が形成されており、該切欠き凹部２１は壁スイッチ（図２の符号Ｅ１参照）又は壁コンセントＥ２よりも大きくてそれらを収納できるように構成されている。ここで、前記間仕切り壁本体２の表面２ｂ，２ｃとは、該間仕切り壁本体２が建物に取り付けられた場合に部屋や廊下に面する面（つまり、部屋や廊下に露出される側の面）を意味する。この間仕切り壁本体２は、木や金属で形成しても良いが、軽量でかつ再生可能な段ボールや樹脂で形成するようにしても良い。
【００２３】
また、本発明に係る着脱式間仕切り壁１は、前記切欠き凹部２１を閉塞するための切欠き凹部用カバー部材４を備えている。図１及び図３に例示する切欠き凹部２１は、前記仕切り壁本体２の縦方向ｚ（該着脱式間仕切り壁１を建物に設置した場合には鉛直方向）に沿った端縁部における木口面２ａから両表面２ｂ，２ｃにかけて形成されているが、そのような場合には、前記切欠き凹部用カバー部材４は、前記間仕切り壁本体２の一方の表面２ｂ、前記木口面２ａ、及び他方の表面２ｃに沿うように断面が略コ字状に形成すると共に、前記壁スイッチＥ１又は前記壁コンセントＥ２の一部を露出させるための開口部４ａを有するようにすると良い。また、前記切欠き凹部を、木口面２ａにまで到達しないような孔部（つまり、両表面２ｂ，２ｃを貫通するように形成される孔部）にする場合には、該切欠き凹部用カバー部材は、断面を略コ字状にするのではなく、前記一方の表面２ｂと前記他方の表面２ｃとにそれぞれ貼付した平板状にすると良い。この切欠き凹部用カバー部材４は、金属や硬質樹脂や木などで形成すると良い。
【００２４】
さらに、前記間仕切り壁本体２の前記木口面２ａに沿う位置には、前記壁スイッチＥ１又は前記壁コンセントＥ２に接続されるコード５を収容する（つまり、前記縦方向ｚに沿って敷設するための）コード収容空間（図３の符号Ｄ参照）が形成されている。
【００２５】
本発明によれば、前記壁スイッチＥ１又は前記壁コンセントＥ２に接続されるコード５は前記間仕切り壁本体２の内部ではなく外部（つまり、前記木口面２ａに沿った前記コード収容空間Ｄ）に配置されているので、作業者は楽な姿勢で該コード５を前記壁スイッチＥ１や前記壁コンセントＥ２に接続したり該壁スイッチＥ１や該壁コンセントＥ２から取り外したりすることができる。そのため、作業者の作業負担が軽減され、作業効率を良くすることができる。
【００２６】
ところで、前記壁スイッチＥ１や前記壁コンセントＥ２を前記切欠き凹部用カバー部材４ではなく前記間仕切り壁本体２に支持させる態様を本発明の範囲から除外するものではないが、該壁スイッチＥ１又は該壁コンセントＥ２を支持する電気機器支持部（不図示）を該切欠き凹部用カバー部材４に設けておいて、該壁スイッチＥ１や該壁コンセントＥ２が、前記間仕切り壁本体２ではなく該切欠き凹部用カバー部材４により支持されるようにしても良い。この電気機器支持部は、該壁スイッチＥ１や該壁コンセントＥ２を支持できる構造であればどのような構造であっても良く、例えば、該壁スイッチＥ１や該壁コンセントＥ２を取り付けるためのネジ孔であっても、該壁スイッチＥ１や該壁コンセントＥ２を係止する係止部（凹部など）であっても良い。そして、該壁スイッチＥ１や該壁コンセントＥ２が該切欠き凹部用カバー部材４の電気機器支持部により支持されるようにした場合には、前記間仕切り壁本体２に取り付けない状態の該切欠き凹部用カバー部材４に該壁スイッチＥ１や該壁コンセントＥ２を支持させたり該切欠き凹部用カバー部材４から該壁スイッチＥ１や該壁コンセントＥ２を取り外したりすることができる。それらの作業を作業者は楽な姿勢で行うことができるので、作業者の作業負担が軽減され、作業効率を良くすることができる。
【００２７】
一方、  前記コード収容空間Ｄは、前記コード５を埋設するために前記縦方向ｚに沿うように前記木口面２ａに形成された溝部２２と、該溝部２２を覆うように前記木口面２ａに沿って配置された溝部用カバー部材６と、により区画するようにすると良い。そのようにした場合には、前記溝部２２が前記コード５のガイドとなって該コード５を容易に敷設することができる。また、該コード５は該溝部２２によって保護することができ、該コード５の損傷を回避することができる。さらに、（該コード５は該溝部２２によって保護することができるので、）前記溝部用カバー部材６に堅固な材料を用いる必要がなく、その分、該溝部用カバー部材６の部品コストを低減することができる。なお、この溝部用カバー部材６の前記木口面２ａへの取り付けは、接着剤や両面テープやマジックテープ（登録商標）などの公知の方法により行うと良い。
【００２８】
さらに、前記切欠き凹部用カバー部材４と前記間仕切り壁本体２の表面２ｂ，２ｃとは、着脱可能な接着剤により接着するようにすると良い。そのような接着剤としては、カーペットなどの接着に用いられるようなもので、貼ったり剥がせたりできるタイプのもの（例えば、セメダイン株式会社製のＥＭ３４１やＢＢＸなど）を挙げることができる。そのような接着剤を使用した場合には、前記切欠き凹部用カバー部材４を前記間仕切り壁本体２から容易に取り外すことができ、前記壁スイッチＥ１や前記壁コンセントＥ２の前記間仕切り壁本体２からの取り外し作業を簡素化することができる。また、その取り外しの際に該間仕切り壁本体２を壊してしまうこともなく、該間仕切り壁本体２をそのまま再利用することができる。
【符号の説明】
【００２９】
１                            着脱式間仕切り壁
２                            間仕切り壁本体
２ａ                          木口面
２ｂ，２ｃ                    表面
４                            切欠き凹部用カバー部材
４ａ                          開口部
５                            コード
６                            溝部用カバー部材
２１                          切欠き凹部
２２                          溝部
Ｅ１                          壁スイッチ
Ｅ２                          壁コンセント
ｚ                            縦方向
【図１】
2018150709.tif 000003
【図２】
2018150709.tif 000004
【図３】
2018150709.tif 000005
【図４】
2018150709.tif 000006